(57)【要約】  本発明は、快適さとフィット感を改善し、効率を向上し、ユーザの負傷発生率を低減する自転車用シューズおよび自転車用シューズ部品を提供する。本発明は、ソールと、ソールに取り付けられてつま先部分と、バンプと、腰革と、スロートと、内部空洞とを形成するアッパーと、つま先部分に隣接してアッパーに取り付けられるタンと、タンをユーザの足の上で閉じて固定する閉鎖システムとを有する運動用シューズを含む。閉鎖システムは、少なくとも２つのストラップと、２つのループとを備え、ストラップの一端をアッパーの上部を横切って、ループを通して引っ張り、アッパー上を折り返してストラップの他端と接続することによって固定される。少なくとも２つのストラップはアッパー上に配置され、つま先からヒールまでの線を約９５度から約１２０度のストラップ角度で横切る。【選択図】図２１
2013528465.tif 000002
【特許請求の範囲】
【請求項１】
ソールと、
前記ソールに取り付けられ、つま先部分と、バンプと、腰革と、スロートと、内部空洞とを形成するアッパーと、
前記つま先部分に隣接して前記アッパーに取り付けられるタンと、
前記スロートを閉じ、前記タンをユーザの足に固定する閉鎖システムと、
を備える運動用シューズであって、
前記閉鎖システムは少なくとも２つのストラップと２つのループとを備え、前記２つのストラップと前記２つのループは、１つのストラップの一端を前記アッパーの上部を横切って、１つのループを通して引っ張り、前記アッパー上を折り返して前記ストラップの他端と連結することによって固定され、
少なくとも２つのストラップは前記アッパー上に配置され、つま先からヒールまで延びる線を約９５度から約１２０度のストラップ角度で横切る運動用シューズ。
【請求項２】
前記アッパーおよび前記タンの少なくとも一部と、前記内部空洞との間に配置されるライナーをさらに備える請求項１に記載の運動用シューズ。
【請求項３】
非刺激性のライナー素材で主にもしくは完全に構成されるインソールをさらに備える請求項１に記載の運動用シューズ。
【請求項４】
一方向性のカーボンファイバ積層を前記ソールにさらに備える請求項１に記載の運動用シューズ。
【請求項５】
通気開口を前記ソールにさらに備える請求項１に記載の運動用シューズ。
【請求項６】
シューズのヒールと、腰革外側部と、腰革内側部との近辺で前記アッパーに取り付けられるヒールストラップをさらに備える請求項１に記載の運動用シューズ。
【請求項７】
複数の通気開口を前記アッパーにさらに備える請求項１に記載の運動用シューズ。
【請求項８】
前記ソールの前部および後部の少なくともいずれかに位置する歩行補助をさらに備える請求項１に記載の運動用シューズ。
【請求項９】
ストラップ支持を有するアーチストラップと、前記アーチストラップと係合する解除クリップとを備えるアーチバックルをさらに備える請求項１に記載の運動用シューズ。
【請求項１０】
内反ウェッジ部材、アーチ支持、横支持、外側支持およびヒールカップの少なくともいずれかを有するインソールをさらに備える請求項１に記載の運動用シューズ。
【請求項１１】
オフセットスロートをさらに備え、同オフセットスロートが、シューズの内側と、ヒールからつま先まで延びる線とから離れて前記アッパーの外側に向かうように傾斜している請求項１に記載の運動用シューズ。
【発明の詳細な説明】
【技術分野】
【０００１】
本発明は、快適さとフィット感を改善し、効率を向上し、ユーザの炎症または負傷の発生を低減可能な自転車用シューズおよび自転車用シューズ部材に関する。
【背景技術】
【０００２】
サイクリングはあまり体重負荷がかからない形態の運動であり、衝撃による関節の負傷は相対的にほとんどない。しかし、自転車に乗る人はひざおよび／または足の負傷を経験することもある。その原因は適切に適合されていない（または適切に調節されていない）自転車または自転車部品（座席、ハンドルバーおよびペダルなど）、乗車技術不足および／または適切に適合してない自転車用シューズなどの自転車用衣服である。適切に適合しない自転車または自転車用シューズおよび／または自転車をこぐ技術の不足によって、ひざ前方痛または負傷が起きることもある。さらに、体重を支える足に神経損傷が起こることもある。
【０００３】
ペダルをこいでいる間には、自転車に乗る人が生成する最大の力は、足によって、ひざを介してペダルに伝達される。娯楽として自転車に乗る人は毎時約４，５００回から約７，５００回ペダルをこぐ。長時間の乗車、向かい風を受ける乗車、上り坂の乗車、またはペダルをこぐときにひざの調整が不適切である場合は、ひざに対する負荷の配分が不適当になり、ひざの痛みまたは負傷が起こる。自転車に乗る人がペダルに圧力をかけるほど、足の神経損傷が起こりやすく、足の灼熱感、痛み、および／またはしびれの原因となる。
【０００４】
したがって、乗り手の足とペダルとの間でエネルギーを効率的に伝達するように機能可能である一方、快適さを保ち、ユーザの炎症および負傷を低減または排除するために適切に調整される、自転車用シューズに対する要望がある。
【発明の概要】
【発明が解決しようとする課題】
【０００５】
本発明は独特の調整と、適合する構成部品とを備える自転車用シューズを提供し、快適さの改善、負傷防止および使いやすさという自転車に乗る人の要望に直接対処する。
【課題を解決するための手段】
【０００６】
本発明のシューズは、ソールと、アッパーと、アッパーに取り付けられるタンと、閉鎖システムと、滑り止め取付部材とから構成される。アッパーはソールに取り付けられ、つま先部分と、バンプと、腰革と、スロートと、内部空洞とを形成する。
【０００７】
一実施形態では、自転車用シューズはアッパーおよびタンの少なくとも一部とシューズの内部空洞との間に配置されるライナーを含有する。好ましい実施形態では、ライナーは、アッパーおよびタンのすべてではない場合でも少なくとも大部分と、内部空洞との間に配置される。
【０００８】
ライナーは、シューズの内部空洞内にあるユーザの足をほとんど傷つけない非刺激性の素材により形成される。本実施形態の一態様では、ライナーは、使用時に剪断力下でユーザの足がライナーと接触する場所には縫い目を持たない。本実施形態の別の態様では、ライナーはユーザの足とライナーとの間の剪断力が使用時に最小となる場所に縫い目を有する。本実施形態のさらに別の態様では、内部空洞内にあるユーザの足に当たる縫い目があるとしても非常に少ない。ライナーは、好ましくは、自転車用シューズ内にあるユーザの足にほとんど刺激を与えない素材で構成される。
【０００９】
一構成では、１または複数のパッド素材はアッパーおよび／またはタンと、ライナーとの間に配置される。パッド素材はライナーと、アッパーおよびまたはタンの１つまたは両方に、縫い目、接着剤および熱溶接などによって接着される。好ましくは、パッド素材はシューズの内部空洞内の圧点に位置する。
【００１０】
本発明の別の態様では、自転車用シューズのソールはインソールと、アウトソールとを含有し、インソールとアウトソールは対向関係にある。一構成では、シューズインソールは、主にまたは完全に、刺激の少ないライナー素材、フェルト素材、高分子素材、エラストマ素材またはそれらの素材の組み合わせなどの素材から構成される。
【００１１】
一実施形態では、シューズのソールは十分な剛性を有する軽量の素材を含有する。好ましい実施形態では、このソールは複数のカーボンファイバを含み、より好ましくは一方向に整列、またはレイアップして軽量で硬い素材を形成するように構成される複数のカーボンファイバを含む。さらにより好ましい実施形態では、ソールは一方向性のカーボンファイバ積層を含む。一方向性のカーボンファイバ積層は高分子素材と、高分子混合物と、高分子合金の１または複数、またはこれらの高分子素材の組み合わせを含有してもよい。
【００１２】
ソールは、通気開口を含んでいてもよい。ソールの通気開口はソールから内部空洞に貫通し、それにより、流体および空気が自転車用シューズの内部空洞に流出入する。
本発明の別の態様では、自転車用シューズの腰革はヒールストラップを含有する。ヒールストラップは、シューズのヒールと、腰革外側部と、腰革内側部との近辺でアッパーに取り付けられるとともにソールに取り付けられる。ヒールストラップは腰革外側部および腰革内側部の近辺において、第１の取付点および第２の取付点でソールに取り付けられる。ヒールストラップは、シューズ内にあるユーザの足の踵骨隆起上にアーチ道を実質的に形成するように配置される。一実施形態では、ヒールストラップは複数のカーボンファイバから構成される素材を含有し、好ましくは、一方向性に整列、またはレイアップして軽量で硬い素材を形成するように構成されるカーボンファイバを含有する。
【００１３】
シューズのアッパーは、アッパーをユーザの足の回りに閉鎖システムによって締め、および／または固定するために十分な可撓性を持つ、１または複数の耐久性のある素材から構成される。アッパーは、好ましくは、流体および空気を内部空洞に流出入させる複数の通気開口を含有する。アッパー通気開口のすべてではない場合でも、少なくとも大部分は自転車用シューズのタン、つま先部分、バンプおよび腰革の近辺に配置される。一実施形態では、アッパー通気開口は自転車用シューズのタン、バンプおよび腰革の近辺に配置される。好ましい実施形態では、通気開口はアッパーおよびシューズの内部空洞内に配置されるライナーを横切る。
【００１４】
本発明の一態様は、複数のストラップと、複数のループとで構成される閉鎖システムである。ストラップはアッパーの外側に取り付けられる固定端部を有し、ループはアッパーの内側に一体的に取り付けられる。ストラップおよびループはアッパーに縫い目、溶接、接着またはこれらの取付手段の任意の組み合わせによって取り付けられてもよい。
【００１５】
この閉鎖システムの一実施形態では、ストラップは対向する第１のストラップ層と、第２のストラップ層とを含む。第１のストラップ層は、好ましくは、アッパーと同じ素材を含有する。別の実施形態では、第１のストラップ層はアッパー素材とは異なる。本実施形態の第２のストラップ層は、第１のストラップ層に縫い目、溶接、接着またはこれらの取付手段の組み合わせによって取り付けられる、フック材と、パイル材とを含有する。
【００１６】
好ましい実施形態では、第２のストラップ層はフック材を一端に有し、パイル材を遠位端に有し、フック材とパイル材は接触すると連結するように構成される。このような好ましい一実施形態では、固定端部の第２のストラップ層はフック材を有し、アッパーに接触する第１のストラップ層でアッパーに取り付けられる。ストラップの第２の層のフック材とパイル材の連結は、サイクリング中にシューズをユーザの足にしっかりと固定するほど強力である。
【００１７】
閉鎖システムの一実施形態は、アーチストラップと、足部中央ストラップと、つま先部分ストラップと、これらの各ストラップと相互作用して各ストラップを締め、自転車用シューズをユーザの足に固定する対応するループとを含む。これらの実施形態では、アーチストラップ、足部中央ストラップおよびつま先部分ストラップは、つま先からヒールまで延びる線をストラップ角度をなして横切る。一実施形態では、アーチストラップのストラップ角度は約８０度から約１００度である。好ましい実施形態では、アーチストラップのストラップ角度は約８５度から約９５度である。一実施形態では、足部中央ストラップおよびつま先部分ストラップの１つまたは両方のストラップ角度は、約８０度から約１２５度である。好ましい実施形態では、足部中央ストラップおよび／またはつま先部分ストラップのストラップ角度は、約９５度から約１２０度であり、さらにより好ましい実施形態では、足部中央ストラップおよび／またはつま先部分ストラップのストラップ角度は約１００度から約１１５度である。一構成では、閉鎖システムは１つのアーチストラップと、１つのつま先部分ストラップから構成され、したがって、本実施形態の閉鎖システムには足部中央ストラップが存在しない。
【００１８】
本発明の好ましい実施形態では、アーチストラップおよび足部中央ストラップは十分に長い距離によって分離され、シューズがユーザの足に固定された状態で自転車用シューズ内にあるユーザの足の深腓骨神経の内側枝、長指屈筋腱および／または短指屈筋に対して閉鎖システムが加える圧力を略開放する。アーチストラップおよび足部中央ストラップは最も近接する縁部を有する。アーチストラップと足部中央ストラップとを分離する距離はそれぞれの最も近接する縁部の平均である。好ましい一構成では、これらのストラップ間の距離は約７．６２ｍｍ（０．３インチ）より大きい。好ましい実施形態では、これらのストラップ間の距離は約１７．７８ｍｍ（０．７インチ）から約２７．９４ｍｍ（１．１インチ）である。
【００１９】
本発明の別の態様では、シューズはオフセットスロートおよびタンをさらに備える。スロートおよびタンは、シューズの内側から離れ、シューズのヒールからつま先まで延びる中心線から離れてアッパーの外側に向かうように傾斜している。この構成により、自転車用シューズを特に長時間着用している場合に、閉鎖システムによってユーザの足の回りに固定されると、ユーザの足上部の神経および腱にかかる圧力が低減され、それによりユーザの足の負傷と不快さが低減される。
【００２０】
本発明の別の態様では、シューズは、複数の歯を有する線形ラックと、解除クリップと、ストラップ支持を有するアーチストラップと、爪と、ストラップラックとをさらに備える。線形ラックおよび解除クリップは、それぞれアッパーの内側および外側に取り付けられる。解除クリップは、ストラップラックと係合するラチェット機構と、ストラップラックをラチェット機構から開放する解除レベラとを含む。解除レベラは、解除レベラを押すことおよび／または持ち上げることのいずれかによって、簡潔かつ容易にストラップを開放する。
【００２１】
線形ラックおよび複数の歯は爪と係合するように構成され、シューズに取り付けられる。一構成では、爪はアーチストラップから延在する２つの円筒形のアームを備える。
ストラップ支持はアーチストラップから延在すると同時に、アーチストラップの一部に沿って延在する。一構成では、ストラップ支持は１または複数の別個の部材を備える。別個の部材は組成および形態が異なっていることもある。
【００２２】
爪は線形ラックと係合し、かつ線形ラックから開放される。爪は線形ラックの複数の係合位置の１つで線形ラックと係合する。
シューズは、１または複数の歩行補助をさらに備える。歩行補助はソールの前部または後部のいずれか、または両方の位置にあってもよい。一構成では、歩行補助はソールに取り付けられる。別の構成では、歩行補助は少なくとも部分的にソールに埋め込まれる。
【００２３】
滑り止め取付部材は、自転車のクリップを用いない滑り止めを取り付けるために適した任意の部材を備える。滑り止め取付部材は、ユーザの足がシューズ内にあるときにユーザの中足領域の下部の位置に対応して、ソール上に位置する。
【００２４】
本発明のさらに別の態様はインソール挿入物である。インソール挿入物は、対向する外側および内側と、対向するつま先端部およびヒール端部と、つま先端部とヒール端部との間に配置される中間部分と、対向する内面および外面とを含有する。インソール挿入物は、内反ウェッジ部材と、後部支持部材も含有する。つま先端部およびヒール端部はそれぞれつま先縁部およびヒール縁部を有する。同様に、外側および内側はそれぞれ、外側縁部および内側縁部を含有する。
【００２５】
一実施形態では、インソールは第１の層および第２の層を有する２層構造を有する。第１の層は、対向する第１の層の上面と底面とを有し、つま先縁部からヒール縁部まで、および内側縁部から外側縁部まで延在する。この挿入物の層は１または複数の開口も含有してもよい。
【００２６】
挿入物の第２の層は、内反ウェッジ部材と、後部支持部材とを有する。内反ウェッジ部材は後部支持部材に隣接して配置される。内反ウェッジ部材および後部支持部材は第１の開口および第２の開口と内部接続して結合し、略滑らかな外面を形成する。
【００２７】
内反ウェッジ部材は対向する内側縁部および外側縁部と、対向するつま先縁部および中足縁部とを含む。内反内側縁部および内反外側縁部はそれぞれ、内反内側厚さおよび内反外側厚さを有する。好ましくは、内反ウェッジ部材の内側厚さと外側厚さは異なる。一実施形態では、内反内側縁部厚さは内反外側縁部厚さよりも大きい。好ましくは、内反ウェッジ部材の内側縁部厚さと外側縁部厚さは約１．０ｍｍから約５ｍｍ異なり、より好ましくは約１．２ｍｍから約１．７ｍｍ異なる。
【００２８】
内反ウェッジは内側−外側断面厚さも有する。一実施形態では、内反ウェッジの断面厚さは内側厚さから外側厚さまで均等に変化する。一実施形態では、内側厚さは約０．５ｍｍから約１０．０ｍｍである。好ましい実施形態では、内側厚さは約１．０ｍｍから約８．０ｍｍであり、さらにより好ましくは、内側厚さは約４．０ｍｍから約８．０ｍｍである。外側厚さは約０．１ｍｍから約５．０ｍｍであり、好ましくは約０．５ｍｍから約５ｍｍである。より好ましくは、外側厚さは約１ｍｍから約３ｍｍである。
【００２９】
内反ウェッジのつま先縁部および中足縁部は、つま先厚さおよび中足厚さを有する。好ましくは、つま先厚さと中足厚さとは異なる。一実施形態では、つま先厚さは中足厚さよりも大きい。好ましい実施形態では、つま先厚さと中足厚さは約０．５ｍｍから約８ｍｍ異なる。より好ましい実施形態では、つま先厚さと中足厚さは約１ｍｍから約４ｍｍ異なる。
【００３０】
内反ウェッジはつま先−中足断面厚さも有する。好ましい実施形態では、つま先−中足断面厚さは中足厚さからつま先厚さまで均等に変化する。
内反ウェッジのつま先厚さは約０．１ｍｍから約５．０ｍｍである。好ましい実施形態では、つま先厚さは約０．５ｍｍから約５ｍｍであり、さらにより好ましくは、つま先厚さは約１．０ｍｍから約３．０ｍｍである。内反ウェッジの中足厚さは約０．５ｍｍから約１０．０ｍｍであり、好ましくは約１．０ｍｍから約８．０ｍｍである。より好ましくは、中足厚さは約４．０ｍｍから約８．０ｍｍである。
【００３１】
内反ウェッジ部材は、ユーザの足がシューズ内にあり、ユーザが圧力を自転車ペダルに加えるときに、内反ウェッジがユーザの前足と自転車ペダルとの間に位置するように自転車用シューズ内に配置される。内反ウェッジ部材をユーザの足と自転車のペダルとの間に配置することによって、ペダルに力を加えるときに、ユーザの前足およびひざの１つまたは両方がそろう。
【００３２】
一実施形態では、内反ウェッジ部材は開口内に配置され、ユーザの足が自転車用シューズ内に固定されているときに、内反ウェッジ部材はユーザの足のつま先と中足領域下部にそろえられる。
【００３３】
一実施形態では、内反ウェッジ部材は１または複数の横内反通路を含有し、各横内反通路は１または複数の内反通路小穴を有する。１または複数の内反通路を有する内反ウェッジ部材は、１または複数の通路を持たない内反ウェッジ部材よりも可撓性が高い。内反通路小穴はさらに、内反ウェッジの可撓性を増強する。
【００３４】
一実施形態では、インソール挿入物は複数の内反快適開口を有する。内反快適開口は、対向する第１の通路壁および第２の通路壁、第１の層底面およびソール表面によって画定される開口容積を備える。好ましくは、内反快適開口はインソール挿入物の通気開口と内部接続する。通気開口は第１の層および上面に接着される任意の繊維を貫通して延在する。第１の層が１または複数の快適開口に延伸することによって、インソール挿入物は緩衝作用および／または屈曲を得る。インソール挿入物の緩衝作用および屈曲によって、ユーザの足の圧点において、または圧点の近くで、さらに均一な圧力分布が可能となる。
【００３５】
通気開口は流体または空気を透過させ、ユーザの足をさらに快適にする。インソール挿入物の緩衝作用および屈曲によって、さらに通気開口を通じた流体または空気透過がさらに促進される。通気開口を通じた流体透過は、大部分ではないにしても少なくともある程度の流体をユーザの足から除去するため、さらに一層の快適さをユーザに提供する。
【００３６】
インソール挿入物は、アーチ支持、横支持、外側支持、および／またはヒールカップを備える。アーチ支持はユーザの足の内側アーチを支持する一方、外側支持は外側アーチと、外側足底腱膜と、踵骨中足骨靱帯とを支持する。横支持は、足底腱膜（ａｐｏｔｅｎｕｒｉｏｉｓ）と、足底腱膜の指のゆるみと、横束とを支持する。アーチ支持、外側支持および横支持が提供する支持は、ペダルをこぐときに、繰り返し足に圧力をかけることによって生じるユーザの足の熱点、痛みおよびしびれを大幅に軽減する。ヒールカップはさらに足の支持および安定性を提供する。
【００３７】
ヒールカップ、アーチ支持、横支持および外側支持は複数のインソール溝によって強化および安定化される。インソール溝は少なくとも追加の強度および／または安定性を支持およびヒールカップに提供するように配置され、その強度と安定性は第１の層および／または第２の層の強度および安定性よりも高い。インソール溝はインソール挿入物に一定の可撓性を提供する。溝は約０．２５ｍｍから約２．５ｍｍの溝の深さ、好ましくは約０．７ｍｍから約１．２ｍｍの溝の深さを有する。
【００３８】
インソールの第１の層、後部支持部材および内反ウェッジ部材は、好ましくは高分子素材を含有する。第１の層、後部支持部材および内反ウェッジ部材のそれぞれを構成する高分子素材は同一であることも、異なっていることもある。
【００３９】
一実施形態では、内反ウェッジ部材はポリウレタンを含有する。ポリウレタンはショアＡ硬さ計で約１１５から約６５の硬さ値を有する。好ましい実施形態では、ポリウレタンの硬さ値はショアＡ硬さ計で約１０５から約７０であり、より好ましくはショアＡ硬さ計で約１００から約７５である。さらにより好ましくは、硬さはショアＡ硬さ計で約９０から約８０である。
【００４０】
別の実施形態では、インソールの第１の層およびアーチ支持部材はエチレン酢酸ビニルおよび／またはポリウレタンを備える。エチレン酢酸ビニルはショアデュロメータ計で約６０から約３０の硬さ値を有する。好ましい実施形態では、エチレン酢酸ビニルの硬さ値はアスカーＣ硬さ計で約５５から約４０であり、さらにより好ましくはアスカーＣ硬さ計で約５２から約４４である。
【００４１】
本発明の一構成では、インソール挿入物は任意の第１の繊維層および第２の繊維層の間に配置される。第１の繊維層および第２の繊維層は天然および／または合成素材で構成される。これらの天然および／または合成素材は、植物繊維、動物繊維、レーヨン、ポリエステル、ナイロン、アクリル、アラミド、ポリアミド、ポリウレタン、ポリオレフィンおよびそれらの混合物などである。第１の繊維層および第２の繊維層は同一の繊維素材で構成されてもよく、または異なっていてもよい。
【００４２】
本明細書で用いる「１つの」実体という用語はその実体の１または複数に言及する。同様に、「１つの」、「１または複数の」および「少なくとも１つの」という用語は、本明細書においては交換可能に用いられることもある。「備える」、「含む」および「有する」も交換可能に用いられることもあることに留意されたい。
【００４３】
「少なくとも１つの」「１または複数の」および「および／または」という用語は操作上、接続語および離接語の両方である制限のない表現である。たとえば、「Ａ、ＢおよびＣの少なくとも１つ」、「Ａ、ＢまたはＣの少なくとも１つ」「Ａ、ＢおよびＣの１または複数」「Ａ、ＢまたはＣの１または複数」および「Ａ、Ｂおよび／またはＣ」の各表現は、Ａのみ、Ｂのみ、Ｃのみ、ＡとＢの両方、ＡとＣの両方、ＢとＣの両方、またはＡとＢとＣのすべてを意味する。
【００４４】
上記は本発明の簡略した要約であり、本発明の一部の態様を理解するために提供するものである。本要約は本発明および本発明の様々な実施形態の広範な概要でも、網羅的な概要でもない。上記で規定する特徴または以下に詳細に説明する特徴を１または複数を単独で、または組み合わせて用いることによって、本発明の他の実施形態が可能であることが理解されよう。
【図面の簡単な説明】
【００４５】
【図１】本発明の一実施形態の立面図を示す。
【図２】本発明の別の実施形態の上面図を示す。
【図３】本発明の別の実施形態の別の上面図を示す。
【図４】本発明のさらに別の実施形態の断面立面図を示す。
【図５Ａ】本発明の一実施形態の一部の上面図を示す。
【図５Ｂ】図５Ａの実施形態の閉鎖ストラップの断面図を示す。
【図６Ａ】本発明の別の実施形態の側面断面図を示す。
【図６Ｂ】図６Ａの実施形態の上面図を示す。
【図７Ａ】本発明の別の実施形態の側面断面図を示す。
【図７Ｂ】図７Ａの実施形態の底面図を示す。
【図８】本発明の別の実施形態の正面図を示す。
【図９】本発明の一実施形態の別の正面図を示す。
【図１０】本発明の一実施形態の上面図を示す。
【図１１】本発明の一実施形態の別の上面図を示す。
【図１２】図１１の実施形態の左側面図を示す。
【図１３】図１１の実施形態の右側面図を示す。
【図１４】本発明の別の実施形態の側面図を示す。
【図１５Ａ】本発明の線形ラック、解除クリップ、アーチストラップ、ストラップ支持、爪およびストラップラックの実施形態を示す。
【図１５Ｂ】本発明の線形ラック、解除クリップ、アーチストラップ、ストラップ支持、爪およびストラップラックの実施形態を示す。
【図１５Ｃ】本発明の線形ラック、解除クリップ、アーチストラップ、ストラップ支持、爪およびストラップラックの実施形態を示す。
【図１５Ｄ】本発明の線形ラック、解除クリップ、アーチストラップ、ストラップ支持、爪およびストラップラックの実施形態を示す。
【図１５Ｅ】本発明の線形ラック、解除クリップ、アーチストラップ、ストラップ支持、爪およびストラップラックの実施形態を示す。
【図１６Ａ】本発明の線形ラックの上面図を示す。
【図１６Ｂ】本発明の別の線形ラックの上面図を示す。
【図１７】本発明のインソールの一実施形態の上面図を示す。
【図１８】本発明のインソールの一実施形態の底面図を示す。
【図１９Ａ】本発明のインソールの一実施形態の底面図を示す。
【図１９Ｂ】本発明のインソールの一実施形態の側面図を示す。
【図２０Ａ】本発明のアウトソールの一実施形態の側面断面図を示す。
【図２０Ｂ】図２０Ａのアウトソールの実施形態の一部の側面断面図を示す。
【図２０Ｃ】本発明の一実施形態の側面断面図を示す。
【図２１】本発明の自転車用シューズの好ましい実施形態を示す。
【図２２】本発明の自転車用シューズの別の好ましい実施形態を示す。
【図２３Ａ】本発明の内反ウェッジ部材の底面図を示す。
【図２３Ｂ】本発明の内反ウェッジ部材の断面図を示す。
【図２３Ｃ】本発明の内反ウェッジ部材の断面図を示す。
【図２４】オフセットスロートを有する本発明の自転車用シューズの好ましい実施形態を示す。
【発明を実施するための形態】
【００４６】
図１から図２４は本発明の自転車用シューズの態様および本発明の自転車用シューズの個々の部品の態様を示す。自転車用シューズ２４５はソール２５０と、アッパー２５２と、アッパー２５２に取り付けられるタン２５１と、閉鎖システム２４６とを含む。アッパー２５２はソール２５０に取り付けられ、つま先部分２５３、バンプ２５９、腰革２６０、スロート２５７および内部空洞２６１を形成する。アッパー２５２は、縫い目、溶接および接着などの従来技術において周知の任意の方法でソール２５０および／またはタン２５１に取り付けられる。
【００４７】
本明細書で用いる自転車用シューズという用語は自転車用シューズの左右いずれかの形態を含んでいてもよい。さらに、自転車用シューズは、男性、女性、または男女両方に適合するように設計される自転車用シューズを含む。自転車用シューズは任意の国際的なシューズサイズ表示規格にしたがうシューズサイズを有する。たとえば、自転車用シューズは米国規格のシューズサイズ表示である、５、５  １／２、６、６  １／２、７、７  １／２、８、８  １／２、９、９  １／２、１０、１０  １／２、１１、１１  １／２、１２、１２  １／２、１３、１３  １／２、１４、１４  １／２、１５、１５  １／２、１６、１６  １／２、１７、１７  １／２、１８、１８  １／２、１９、１９  １／２および２０からなる群から選択されるサイズ表示、および米国規格の幅である、ＡＡＡ、ＡＡ、Ａ、Ｂ、Ｃ、Ｄ、Ｅ、ＥＥ、ＥＥＥ、ＥＥＥＥ、ＦおよびＧからなる群から選択される幅を有してもよいが、これらに限定されない。
【００４８】
図２および図７Ａに示す実施形態では、自転車用シューズ２４５はアッパー２５２（および／またはタン２５１）の少なくとも一部と内部空洞２６１との間に配置されるライナー２６２を含む。好ましくは、ライナー２６２はアッパー２５２（および／またはタン２５１）のすべてではない場合でも少なくとも大部分と、内部空洞２６１との間に配置される。ライナー２６２はアッパー２５２（および／またはタン２５１）に縫い目、溶接および接着の少なくとも１つの方法で取り付けられてもよい。好ましくは、ライナー２６２は非刺激性の素材を備える。非刺激性の素材とは、シューズの内部空洞２６１内にあるユーザの足をほとんど傷つけない素材を意味する。実質的に非刺激性であるライナー構成の例は以下を含むが、これらに限定されない。１）ライナーは、使用時に剪断力下でユーザの足がライナー２６２と接触する場所にはほとんど縫い目を持たない。２）ライナー２６２はユーザの足とライナー２６２との間の剪断力が使用時に最小となる場所に縫い目を有する。３）ユーザの足に当たる縫い目がある場合でも非常に少ない。４）縫い目が非刺激性の素材を含む。
【００４９】
図２および図６Ａ〜図７Ａに示す実施形態では、パッド素材２６４はアッパー２５２（および／またはタン２５１）とライナー２６２との間に配置される。一構成では、パッド素材２６４はライナー２６２と、アッパー２５２（および／またはタン２５１）の１つまたは両方に接着される。パッド素材２６４はアッパー２５２（および／またはタン２５１）に縫い目、溶接および接着の１または複数の方法で接着される。好ましくは、パッド素材２６４は圧点、つまり、自転車用シューズ内に固定されるユーザの足に圧力がかかる内部空洞２６１内の点に配置される。内部空洞２６１内の圧点の非限定例として、ヒール区画２６６、腰革部分２６０のスロートボーダー２６８およびタン底面２７０を含むが、これらに限定されない。パッド２６４は、ユーザの足を内部空洞２６１内に適切にそろえるように位置してもよい。たとえば、パッドはユーザの足を、対向する腰革外側部２７２と腰革内側部２７４の間に適切にそろえるように補助してもよい。
【００５０】
ソール２５０は、インソール２５５と、アウトソール２５６とを備える。インソール２５５およびアウトソール２５６は対向する関係にある。一実施形態では、ミッドソール２７６はインソール２５５とアウトソール２５６との間に配置される。一構成では、インソール２５５は、刺激の少ないライナー素材と、フェルト素材と、高分子素材と、エラストマ素材および／または（後述する）インソール挿入物とを備える。
【００５１】
別の実施形態では、ソール２５０は十分な剛性な軽量の素材を含む。十分な剛性とは、自転車に乗る人がソール２５０にペダルをこぐ圧力をかける場合に、ソール２５０が、もし曲がるとすれば少しだけ曲がることを意味する。好ましい実施形態では、ソールは複数のカーボンファイバを含み、より好ましくは一方向に整列するカーボンファイバを含む。カーボンファイバは強度があり、軽量であるために好ましい。さらに好ましい実施形態では、ソール２５０は一方向性のカーボンファイバ積層を含む。一方向性のカーボンファイバ積層は高分子素材と、高分子混合物と、高分子合金と、それらの組み合わせの少なくとも１つを含む。
【００５２】
図１および図２に示す実施形態はヒールストラップ２７８をシューズ２４５の腰革２６０に含む。ヒールストラップ２７８は、ヒール、腰革外側部および腰革内側部の近辺のアッパーと、ソール２５０とに取り付けられる。図１４の実施形態に示すように、ヒールストラップ２７８は腰革外側部および腰革内側部の近辺において、第１の取付点２７９および第２の取付点２８１で、ソールに取り付けられる。ヒールストラップ２７８は、ユーザの足が自転車用シューズ２４５内にある場合に、ユーザのヒールの回りを巻くように配置される。より具体的には、ヒールストラップ２７８はユーザの踵骨隆起上にアーチ道を略形成するように配置される。つまり、ヒールストラップ２７８は、ユーザの足が自転車用シューズ２４５内にある場合に、ユーザの足の踵骨隆起および踵骨部分の上部、外側および内側部分の回りに配置される。第１の取付点２７９および第２の取付点２８１はそれぞれ、ユーザの足が自転車用シューズ２４５の中にある場合に、ユーザの脛骨の前面および後面と位置をそろえて配置される。一実施形態では、ヒールストラップ２７８は、複数のカーボンファイバを含有する素材を含み、好ましくは、複数の一方向性のカーボンファイバを含有する素材を含む。
【００５３】
アッパー２５２は耐久性のある素材を含む。好ましくは、耐久性のある素材は、天然または合成皮革、高分子素材、高分子混合物、高分子合金、積層材、天然または合成繊維素材、メッシュ素材、またはそれらの組み合わせからなる群から選択される素材の１または複数を備える。好ましくは、素材は可撓性素材を含む。つまり、素材は十分な可撓性を有し、アッパー２５２をユーザの足の回りに閉鎖システム２４６によって締め付け、および／または固定する。一構成では、アッパー２５２（タン２５１を含む）は２つ以上の耐久性のある素材から構成される。たとえば、つま先部分２５３を１つの素材（メッシュ素材など）で構成することができ、アッパー２５２のその他の部分を別の素材で構成する。
【００５４】
本発明の一態様は、図５Ａ、図８および図９の実施形態に示す閉鎖システムである。閉鎖システムは複数のストラップ２４８と、複数のループ２４９とを含有する。ストラップ２４８はアッパー２５２の外側部に取り付けられる固定端部２９０を有し、ループ２４９はアッパー２５２の内側部に一体的に取り付けられる。ストラップ２４８およびループ２４９はアッパー２５２に縫い目、溶接、接着の少なくとも１つまたはその組み合わせによって取り付けられる。
【００５５】
図５Ｂに示すように、ストラップ２４８は、好ましくは、対向する第１のストラップ層２８８と、第２のストラップ層２８９とを含む。第１のストラップ層２８８は（上述した）アッパー素材を含有し、好ましくはアッパー２５２と同じ素材を含有する。しかし、設計上の目的から、第１のストラップ層２８８はアッパー２５２の素材とは異なるアッパー素材を含んでいてもよい。第２のストラップ層２８９のフック材とパイル材は第１のストラップ層２８８に縫い目、溶接、接着の少なくとも１つ、またはその組み合わせによって取り付けられる。
【００５６】
第２のストラップ層２８９はフック材を一端に有し、パイル材を遠位端に有する。フック素材とパイル材は接触すると連結する。好ましい実施形態では、固定端部２９０の第２のストラップ層２８９はフック材を有し、アッパー２５２に接触する第１のストラップ層２８８でアッパー２５２に取り付けられる。
【００５７】
シューズ２４５をユーザの足に固定するために、ストラップ２４８をアッパー２５２の上部を横切って、対応するループ２４９に通して引っ張り、アッパー２５２上を折り返すことで、フック材がパイル材と接触する。ストラップ２４８の第２の層２８９のフック材とパイル材の連結は少なくともシューズ２４５をユーザの足に固定するほど強力である。
【００５８】
図１０に示す好ましい実施形態では、閉鎖システムは、アーチストラップ２９２と、足部中央ストラップ２９３と、つま先部分ストラップ２９４と、対応するループとを備える。アーチストラップ２９２、足部中央ストラップ２９３およびつま先部分ストラップ２９４は、つま先からヒールを結ぶ線をストラップ角度２９５で横切る。アーチストラップ２９２のストラップ角度２９５は約８０度から約１００度であり、より好ましくは約８５度から約９５度である。別の好ましい実施形態では、足部中央ストラップ２９３およびつま先部分ストラップ２９４の少なくとも１つのストラップ角度２９５は、約８０度から約１２５度である。より好ましくは、足部中央ストラップ２９３およびつま先部分ストラップ２９４の少なくとも１つのストラップ角度２９５は、約９５度から約１２０度であり、さらにより好ましくは約１００度から約１１５度である。この９０度を超えるストラップ角度２９５によって、閉鎖システムは自転車用シューズのスロートをタン上にて閉じ、ユーザの足を自転車用シューズ内に固定する。その一方、ユーザの足の深腓骨神経の内側枝、長指屈筋腱および／または短指屈筋に対してタンおよび閉鎖システムが加える圧力を最低限に抑える。これにより、特に、自転車用シューズがユーザの足に長時間固定されている場合に、ユーザの足の快適さが増加し、神経に対する負傷の可能性が低減する。一実施形態では、閉鎖システムはアーチストラップ２９２およびつま先部分ストラップ２９４のみを有する。
【００５９】
図１０の好ましい実施形態では、アーチストラップ２９２と足部中央ストラップ２９３との間の距離２９６は十分に長く、ユーザの足の深腓骨神経の内側枝、長指屈筋腱および／または短指屈筋に対して閉鎖システムが加える圧力を配分する。好ましい一構成では、距離２９６は約７．６２ｍｍ（０．３インチ）より長く、より好ましくは、距離２９６は約１２．７０ｍｍ（０．５インチ）より長い。さらにより好ましい構成では、距離は約１７．７８ｍｍ（０．７インチ）から約２７．９４ｍｍ（１．１インチ）である。アーチストラップ２９２と足部中央ストラップ２９３との間の距離が長くなるほど、ユーザの足にかかる圧力は軽減される。より具体的には、アーチストラップ２９２と足部中央ストラップ２９３との間の距離が長くなるほど、ユーザの深腓骨神経の内側枝、長指屈筋腱および／または短指屈筋に対してストラップが加える圧力が小さくなる。
【００６０】
ユーザの快適さおよび負傷の可能性を低減することに関する本発明の別の態様は、自転車用シューズのオフセットスロートである。図２１は本発明の自転車用シューズ４００の実施形態を示す。自転車用シューズ４００は、アーチストラップ４０５と、足部中央ストラップ４０２と、つま先部分ストラップ４０１の３つのストラップから構成される閉鎖システム４０３を含む。閉鎖システム４０３はタン４０９上にてスロート４１０を閉じて、ユーザの足を自転車用シューズ４００内に固定する。閉鎖システム４０３は、ユーザの足がシューズの内部空洞４０８内に固定されるときに、スロートボーダー４０７もユーザのくるぶしの回りに固定する。図２１に示すように、スロート４１０、タン４０９および閉鎖システム４０３は自転車用シューズ４００のアッパー４０４の中央線上に対称的に位置する。上述したように、アーチストラップ４０５、足部中央ストラップ４０２、および／またはつま先部分ストラップ４０１は９０度を超えるストラップ角度を有する。それにより、閉鎖システムは自転車用シューズのスロートをタン上にて閉じ、ユーザの足を自転車用シューズ内に固定する一方、ユーザの足の深腓骨神経の内側枝、長指屈筋腱および／または短指屈筋に対してタンおよび閉鎖システムが加える圧力を最小限に抑える。
【００６１】
図２１に示す実施形態と同様に、図２２は本発明の自転車用シューズ５００の実施形態を示す。自転車用シューズ５００は、アーチバックル５０５と、足部中央ストラップ５０２およびつま先部分ストラップ５０１の２つのストラップとから構成される閉鎖システム５０３を含む。アーチバックル５０５は解除クリップ５２１と結合するアーチストラップ５２０を含む。閉鎖システム５０３はスロート５１０をタン５０９上にて閉じ、ユーザの足を自転車用シューズ５００内に固定する。ユーザの足がシューズの内部空洞５０８内に固定されているとき、閉鎖システム５０３はスロートボーダー５０７もユーザのくるぶしの回りに固定する。図２２に示すように、スロート５１０、タン５０９および閉鎖システム５０３は自転車用シューズ５００のアッパー５０４の中央線を基準として対称的に位置する。本実施形態では、足部中央ストラップ５０２、および／またはつま先部分ストラップ５０１は９０度を超えるストラップ角度を有し、それにより、閉鎖システムは自転車用シューズのスロートをタン上に閉鎖し、ユーザの足を自転車用シューズ内に固定する。その一方、タンおよび閉鎖システムによってユーザの足の深腓骨神経の内側枝、長指屈筋腱および／または短指屈筋にかかる圧力を最小限に抑える。
【００６２】
図２４および図２５の実施形態を比較すると、当業者には、本発明の別の実施形態は、オフセットスロート６１０を有する自転車用シューズ６００であることが容易に分かるであろう。つまり、スロート６１０は自転車用シューズ６００のアッパー６０４の中心線を基準として対称的に位置しない。その代わりに、スロート６１０およびタン６０９は非対称に位置し、アッパー６０４の外側６５０に向かって、自転車用シューズのアッパー６０４の内側６６０から離れるように角度が付けられて傾斜している。スロートは、つま先からヒールまで延びる中心線に対してオフセットスロート角度６３０をなして傾斜している。オフセットスローと角度は、約５度から約３０度であり、より好ましくは約１０度から約１５度である。より好ましくは、オフセットスロート角度６３０は約１２度である。このオフセットスロート角度６３０は、ユーザの足の深腓骨神経の内側枝、長指屈筋腱および／または短指屈筋に対してタンおよび閉鎖システムが加える圧力を最小限に抑える。これにより、特に、自転車用シューズがユーザの足に長時間固定されている場合に、ユーザの足の快適さが増加し、神経に対する負傷の可能性が低減する。
【００６３】
図２４に示す実施形態は、アーチストラップ６０５と、足部中央ストラップ６０２と、つま先部分ストラップ６０１の３つのストラップから構成される閉鎖システム６０３も含む。閉鎖システム６０３はスロート６１０をタン６０９上にて閉じ、ユーザの足を自転車用シューズ６００内に固定する。図２４に示すように、オフセットスロート角度６３０は、オフセットスロート角度６３０を設けるために閉鎖システム６０３の部品を移動することを必要としない。しかし、当業者は、オフセットスロート角度６３０の発明概念、快適さおよびユーザの足への圧力と負傷の低減に対する本発明の効果から逸脱することなく、閉鎖システム６０３の部品が自転車用シューズ６００の外側へ変位可能であることも容易に理解するであろう。図２４の好ましい実施形態では、図２１の閉鎖システム４０３の部品に類似するアーチストラップ６０５、足部中央ストラップ６０２、およびつま先部分ストラップ６０１は９０度を超えるストラップ角度を有する。図２４の好ましい実施形態は閉鎖システム６０３を含む。閉鎖システム６０３は、図２１の閉鎖システム４０３の部品に類似するアーチストラップ６０５と、足部中央ストラップ６０２と、つま先部分ストラップ６０１とを含む。しかし、本発明の関連する実施形態では、自転車用シューズ６００は、図２４に示すオフセットスロート角度６３０と、図２２に示す閉鎖システム５０３に類似する閉鎖システムとを有する。この閉鎖システムは、アーチバックル５０５と、足部中央ストラップ５０２およびつま先部分ストラップ５０１の２つのストラップと、解除クリップ５２１と連結するアーチストラップ５２０を含むアーチバックル５０５とを含む。
【００６４】
図１４に示す実施形態では、アッパー２５２は複数のアッパー通気開口２８３を有する。好ましくは、アッパー通気開口２８３のすべてではない場合でも少なくとも大部分は、少なくともタン、つま先部分、バンプおよび腰革の近辺に配置される。より好ましくは、アッパー通気開口２８３のすべてではない場合でも少なくとも大部分は、タン、バンプおよび腰革の近辺に配置される。さらにより好ましくは、アッパー通気開口２８３の少なくとも大部分が少なくともバンプの近辺に配置される。
【００６５】
通気開口２８３はアッパー２５２を貫通し、好ましくはアッパー２５２およびライナーを貫通する。複数の通気開口２８３は自転車用シューズの内部空洞から流体を流出させる。
【００６６】
図７Ｂに示す自転車用シューズのソールの実施形態では、１または複数のソール通気開口２８４がソール２５０内に配置される。ソール通気開口２８４はソール２５０を貫通して内部空洞に通じ、内部空洞から流体を流出させる。
【００６７】
図７Ｂの実施形態は、１または複数の歩行補助２８５を示す。歩行補助２８５は高分子素材、高分子混合物、高分子合金またはその組み合わせから構成されてもよい。歩行補助２８５は、好ましくは、ソール２５０の前部および後部に位置する。一構成では、歩行補助２８５はソール２５０に取り付けられる。歩行補助２８５は、好ましくは、ソール２８５に接着剤、溶接、融着、合金接着、またはその組み合わせよって取り付けられる。別の構成では、歩行補助２８５は部分的にソール２５０に埋め込まれる。本発明の自転車用シューズは、少なくともソールの剛性のために歩行が困難である場合がある。滑り止め素材および／または緩衝素材を備える歩行補助２８５は、シューズを着用しているときに、自転車用シューズのユーザがより容易に歩けるように補助する。
【００６８】
図７Ｂに示す自転車用シューズのソールの実施形態は、滑り止め取付部材２４７を含む。滑り止め取付部材２４７は標準的な自転車の滑り止めの取り付けに適した任意の部材であってよい。標準的な自転車の滑り止めは、たとえば、次の製造業者、ＳＨＩＭＡＮＯ（商標）、ＣＡＭＰＡＧＮＯＬＯ（商標）、ＬＯＯＫ（商標）、ＷＥＬＬＧＯ（商標）、ＰＹＲＡＭＩＤ（商標）、ＴＩＭＥ（商標）、ＦＯＲＺＡ（商標）、ＭＡＶＩＣ（商標）、ＢＥＢＯＰ（商標）、およびＣＲＡＮＫ  ＢＲＯＴＨＥＲＳ（商標）の１つによって製造される。好ましくは、滑り止め取付部材２４７はＳＨＩＭＡＮＯが製造する滑り止めを取り付けるように構成される。滑り止め取付部材２４７は、ユーザの足がシューズ内に固定されているときにユーザの基節骨または上部中足の下部の位置に対応してソール２５０に配置される。
【００６９】
図１１〜図１３および図１５Ａ〜図１５Ｅに示す本発明の別の態様では、自転車用シューズ２４５は、複数の歯をストラップラック３１０に有する線形ラック３００と、解除クリップ３０８と、ストラップ支持３０６を有するアーチストラップ３０１と、爪３０４と、ストラップラック３１０とを含む。線形ラック３００および解除クリップ３０８は、それぞれアッパーの内側部および外側部に、縫い目、溶接および／または接着の少なくとも１つによって取り付けられる。解除クリップ３０８は、ストラップラック３１０と係合するラチェット機構と、ストラップラック３１０をラチェット機構から開放する解除レベラ３０９とを含む。解除レベラ３０９は、解除レベラ３０９を押すことおよび／または持ち上げることのいずれかによって、簡潔かつ容易にストラップ３１０を開放する。好ましい実施形態では、解除クリップ３０８は金属素材および高分子素材からなる群から選択される素材から構成される。好ましくは、解除クリップ３０８は高分子素材を含む。
【００７０】
線形ラック３００および複数の歯２０３はシューズ２４５に取り付けられ、爪３０４と係合する。一構成では、爪３０４はアーチストラップ３０１から延在する２つの円筒形のアーム３１２を備えるが、別の構成では、爪３０４はアーチストラップ３０１の一端から吊り下がる単一の円筒３１３を備える。図１６Ａに示す構成では、爪が２つの円筒形のアームを備えるとき、線形ラック３００は、複数の歯２０３の第１のセット３１６と第２のセット３１８の間に配置される単一のラック開口３１４を備える。同様に、単一の円筒３１３を有する爪３０４の事例では、図１６Ｂに示す線形ラック３０５は、対向する側部の第１のラック開口３２２と、第２のラック開口３２４とを有する複数の歯２０５の単一のセットを備える。好ましい実施形態では、複数の歯は湾曲し、および／またはフック状であり、爪を固定して保持する。
【００７１】
爪および線形ラックは、好ましくは、十分に高い降伏応力を有する金属素材または高分子素材などの、１または複数の素材から構成される。好ましい構成では、爪は鋼鉄またはステンレス鋼を含有する。別の実施形態では、線形ラックは高分子素材を含有する。
【００７２】
図１５Ａに示す実施形態では、ストラップ支持３０６はアーチストラップ３０１から延在し、アーチストラップ３０１の一部に沿って延在する。一構成では、ストラップ支持３０６は１または複数の別個の部材から構成され、別個の部材は組成および形態が異なっていてもよい。
【００７３】
図１５Ａ〜図１５Ｅに示す実施形態では、第１のストラップ支持部材３３０と、第２のストラップ支持部材３３２とを有するストラップ支持３０６の実施形態を示す。第２のストラップ支持部材３３２は自転車用シューズの内部空洞と第１のストラップ部材３３０との間に位置する。好ましくは、第１のストラップ部材３３０はアーチストラップ２９２と連続し、一体化した部材である。第１のストラップ部材３３０および第２のストラップ部材３３２は同一の素材または異なる素材から構成されてもよい。好ましい実施形態では、第２のストラップ部材３３２は以下の少なくとも１つを有する。１）第１のストラップ部材３３０よりも低い硬度等級を有する素材、２）アーチストラップ３０１がユーザの足の周囲に締められている場合に、第１のストラップ部材３３０と比較して、ユーザの足にかかる圧力を低減する形態、３）上記の組み合わせ。
【００７４】
図１５Ａおよび図１５Ｂに示すように、爪３０４は線形ラックと係合可能であり、また、線形ラックから開放可能である。つまり、アーチストラップ３０１は線形ラックと連結可能であるとともに線形ラックから解除可能であり、したがって自転車用シューズと連結可能であるとともに自転車用シューズから解除可能である。爪３０４は線形ラック３００に線形ラック３００上の複数の係合位置３３４ａ、３３４ｂで係合可能である。係合位置３３４ａは自転車用シューズのタンから係合位置３３４ｂよりも離れている。複数の係合位置３３４の中から、ストラップ支持３０６をユーザのアーチ上に配置して、最も快適であり、最適な張りをユーザの足に提供する位置をユーザは選択することができる。一実施形態では、ストラップ支持３０６の係合および開放によって、ユーザは複数の異なるアーチストラップからアーチストラップを選択する選択肢を得る。各アーチストラップは、異なる素材および設計であってよく、所望の快適、支持の配置位置、張り、または設計上の特徴（色、所属チーム、政治的・社会的メッセージ、またはちょっとした楽しみなど）における変形を可能にする。
【００７５】
本発明の別の態様は、自転車用シューズ内でシューズソール上に入れるように構成されたインソール挿入物である。図１７〜図１８は本発明のインソール挿入物１００の様々な態様を示す。インソール挿入物１００は、対向する外側１０２および内側１０３と、対向するつま先端部１０６およびヒール端部１０８と、つま先端部１０６とヒール端部１０８との間に配置される中間部分１１０と、対向する内面１１４および外面１１６と、内反ウェッジ部材１１２と、後部支持部材１３４とを備える。つま先端部１０６およびヒール端部１０８はそれぞれ、つま先縁部１４０と、ヒール縁部１４２とを有する。同様に、外側１０２および内側１０３はそれぞれ、外側縁部１３８と、内側縁部１３６とを有する。
【００７６】
一実施形態では、インソール１００は第１の層および第２の層を有する２層構造を含む。図１９Ａおよび図１９Ｂに示すように、第１の層１２４は、対向する第１の層の上面１２５と、第１の層の底面１２７とを有し、つま先縁部からヒール縁部まで、および内側縁部から外側縁部まで延在し、第１の開口１１３と、第２の開口１１５とを含んでいてもよい。
【００７７】
図１８に示す第２の層１３４は、内反ウェッジ部材を領域１１２に含み、後部支持部材を領域１３４に含む。内反ウェッジ部材１１２および後部支持部材１３４はそれぞれ、第１の開口１１３および第２の開口１１５と内部接続して結合し、略滑らかな外面１１６を形成する。内反ウェッジ部材１１２は後部支持部材１３４に近接して配置される。好ましい構成では、内反ウェッジ部材１１２は後部支持部材１３４に接触する。
【００７８】
図２３Ａ〜図２３Ｃに示す内反ウェッジ部材１１２は、対向する内反内側縁部１５８および内反外側縁部１５９と、対向する内反つま先縁部１６２および内反中足縁部１６３とを含む。対向する内反内側縁部１５８および内反外側縁部１５９はそれぞれ、内反内側厚さ１６０および内反外側厚さ１６１を有する。内反内側厚さ１６０と内反外側厚さ１６１は異なる。一実施形態では、内反内側厚さ１６０は内反外側厚さ１６１よりも大きい。好ましくは、内反内側１６０と内反外側厚さ１６１は約１ｍｍから約５ｍｍ異なり、より好ましくは約１．２ｍｍから約１．７ｍｍ異なる。内反ウェッジ１１２は内側−外側断面厚さ１６７を有する。好ましい実施形態では、断面厚さ１６７は内反内側厚さ１６０から内反外側厚さ１６１まで均等に変化する。
【００７９】
内反内側厚さ１６０は約０．５ｍｍから約１０ｍｍである。好ましい実施形態では、内反内側厚さ１６０は約１．０ｍｍから約８ｍｍであり、より好ましくは内反内側厚さ１６０は約４ｍｍから約７ｍｍである。内反外側厚さ１６１は約０．１ｍｍから約５ｍｍ、好ましくは約０．５ｍｍから約５ｍｍである。より好ましくは、内反外側厚さ１６１は約１ｍｍから約３ｍｍである。
【００８０】
対向するつま先縁部１６２および中足縁部１６３はそれぞれ、内反つま先厚さ１６４および内反中足厚さ１６５を有する。内反つま先厚さ１６４と中足厚さ１６５とは異なる。一実施形態では、内反つま先厚さ１６４は内反中足厚さ１６５よりも大きい。好ましくは、内反つま先厚さ１６４と内反中足厚さ１６５は約０．５ｍｍから約８ｍｍ異なり、より好ましくは約１ｍｍから約４ｍｍ異なる。内反ウェッジ１１２はつま先−中足断面厚さ１６８を有する。好ましい実施形態では、つま先−中足断面厚さ１６８は中足厚さ１６５からつま先厚さ１６４まで均等に変化する。
【００８１】
内反つま先厚さ１６４は約０．１ｍｍから約５ｍｍである。好ましい実施形態では、内反つま先厚さ１６４は約０．５ｍｍから約５ｍｍであり、さらにより好ましくは、つま先厚さ１６４は約１ｍｍから約３ｍｍである。内反中足厚さ１６５は約０．５ｍｍから約１０ｍｍであり、好ましくは約１ｍｍから約８ｍｍである。より好ましくは、内反中足厚さ１６５は約４ｍｍから約８ｍｍである。
【００８２】
内反内側厚さ１６０および内反外側厚さ１６１が違うことに関して、自転車に乗る人が自転車のペダルに力をかけると、ユーザの足の母指球（一般にユーザの前足と呼ばれる）を通じて力がかかる。前足の内反は、足に体重がかからない状態にある場合の、外側領域に関連して評価される足の母指球を言う。つまり、体重がかからない状態では、内反した前足は足の親指が下肢に対して上向きである。そのため、自転車に乗る人が、前足の内反を有する前足を通じて圧力をかける場合は、ユーザの脛骨はユーザのひざを内側（自転車の方向）に回すように回転する。ひざが内側に回転することによって、加わる力（および動力）が損失し、および／またはひざが負傷する原因となる。内反ウェッジ部材１１２をユーザの前足と自転車のペダルとの間に配置することによって、ペダルに力を加えるときに、ユーザの前足およびひざの１つまたは両方をそろえる助けとなる。
【００８３】
別の方法で言えば、ユーザの前足はペダルに対してある角度で配置される。内反角度を有する前足にとっては、ユーザの前足とペダルとの接触によって、ユーザの脛骨およびひざは内側に回転する。内反ウェッジ部材１１２をユーザの前足とペダルとの間に配置することによって、角度を中立な（つまり、水準）位置に調節し、ユーザの脛骨およびひざが回転するとしても、わずかとする。これにより、ペダルに加わる力が増加し、ひざの損傷および内側の回転が減少する。つまり、内反ウェッジ部材１１２は、ペダルをこいでいるときのひざの揺れを低減する。
【００８４】
内反ウェッジ部材１１２は第１の開口１１３内に位置し、ユーザの足１４７がインソール挿入物１００と接触している場合に、ユーザの足１４７のつま先領域１４６と中足領域１４８を略そろえる。一実施形態では、内反縁部１６３は、ユーザの足がインソール挿入物１００上にある場合に、対応するユーザの足１４７の中足領域１４８と対応してそろう。一構成では、内反外側縁部１５９はインソール外側縁部１３８の少なくとも一部を形成する。同様に、内反内側縁部１５８はインソール内側縁部１３６の少なくとも一部を形成し、内反つま先縁部１６２はインソールつま先縁部１４０の少なくとも一部を形成する。別の構成では、内反外側縁部１５９、内反内側縁部１５８および内反つま先縁部１６２は、インソール挿入物１００の内部外側縁部１３８、内部内側縁部１５８および内部つま先縁部１４０があるとしても、それらをほとんど形成しない。
【００８５】
図１８に示す実施形態では、内反ウェッジ部材１１２は１または複数の横断内反通路１４４を含有する。一構成では、１または複数の横断内反通路１４４は内反通路小穴１４５を有する。１または複数の内反通路１４４を有する内反ウェッジ部材１１２は、１または複数の通路を持たない内反ウェッジ部材よりも可撓性が高い。内反通路小穴１４５はさらに、内反ウェッジ１１２の可撓性を増強する。一構成では、通路小穴１４５は小穴屈曲部１５６を有する。小穴屈曲部１５６および／または内反通路１４４によって、ウェッジ１１２が屈曲応力を受け、または圧縮される間の内反ウェッジ１１２内の応力および応力点が低減および／または排除される。
【００８６】
図２０Ａ〜図２０Ｃはインソール挿入物１００の断面図を表し、複数の内反快適開口１８２を示す。内反快適開口１８２は、対向する第１の内反通路壁１９２および第２の内反通路壁１９４と、第１の層の底面１２７と、ソール表面１９０とによって画定される開口容積を備える。内反快適開口１８２は通気開口１９６と内部接続する。通気開口１９６は第１の層１２４および上面１２５に接着される任意の繊維１２８を貫通している。圧力を第１の層１２４にかけると（自転車に乗る人がペダルに下向きの力をかける場合のように）、第１の層１２４は１または複数の内反快適開口１８２内部に延伸する。第１の層１２４が１または複数の快適開口１８２に延伸することによって、インソール挿入物１００は緩衝作用および／または屈曲を得る。インソール挿入物１００の緩衝作用および屈曲によって、圧力がかかる際に、ユーザの足の圧点において、または圧点の近くで、さらに均一な圧力分布が可能となる。さらに、ユーザの足は、インソール挿入物の緩衝作用および屈曲によって、マッサージ効果も得られる。
【００８７】
通気開口１９６は流体（液体および／または空気流など）を透過させ、ユーザの足をさらに快適にする。インソール挿入物１００の緩衝作用および屈曲によって、さらに通気開口１９６を通じた流体透過が促進される。通気開口１９６を通じた流体透過は、少なくともある程度の流体をユーザの足から除去するため、さらに一層の快適さをユーザに提供する。
【００８８】
図１７に示すように、インソール挿入物１００はさらに、アーチ支持１１８と、横支持１２０と、外側支持１１９と、ヒールカップ１２１とを備える。アーチ支持１１８は足２００の内側アーチ１９８を支持する一方、外側支持１１９は外側アーチ２０２と、外側足底腱膜２０２と、踵骨中足骨靱帯２０３とを支持する。横支持１２０は、インソール挿入物１００上に位置するユーザの足の足底腱膜（ａｐｏｔｅｎｕｒｉｏｉｓ）２０４と、足底腱膜の指のゆるみ２０５と、横束２０６とを支持する。アーチ支持１１８、外側支持１１９および横支持１２０が提供する支持は、ユーザの足２００の熱点、痛みおよびしびれを低減する。ヒールカップ１２１はさらに足２００の支持および安定性を提供する。
【００８９】
ヒールカップ１２１およびアーチ支持１１８、横支持１２０および外側支持１１９は複数のインソール溝２０７によって強化および安定化される。インソール溝２０７は少なくとも一定の追加の強度および／または安定性を支持１１８、１１９、１２０およびヒールカップ１２１に提供するように配置され、その強度と安定性は第１の層１２４および／または第２の層１２６の強度および安定性よりも高い（つまり、層１２４と層１２６のいずれかの強度および安定性、および／または両方を組み合わせた強度および安定性よりも高い）。さらに、インソール溝２０７はインソール挿入物１００に一定の可撓性を提供する。
【００９０】
これらの実施形態では、第１の層、後部支持部材および内反ウェッジ部材は好ましくは高分子素材を備える。第１の層、後部支持部材および内反ウェッジに含まれる高分子素材は、同一であっても異なる高分子素材であってもよい。第１の層、後部支持部材および内反ウェッジ部材のそれぞれの高分子素材は単独重合体、共重合体、重合体混合物および重合体合金を含んでいてもよい。高分子素材はまた、ポリオレフィン、ポリスチレン、ポリビニル、ポリアクリル、ポリハロオレフィン、ポリジエン、ポリオキシド／エステル／アセタール、多硫化物、ポリエステル／チオエステル、ポリアミド／チオアミド、ポリウレタン／チオウレタン、ポリ尿素／チオ尿素、ポリイミド／チオイミド、ポリ無水物／チオ無水物、ポリカーボネート／チオカーボネート、ポリイミン、ポリシロキサン／シラン、ポリホスファゼン、ポリケトン／チオケトン、ポリスルホン／スルホキシド／スルホン酸塩／スルホンアミド、ポリフィレン、およびこれらの混合物などの重合体を含んでいてもよい。
【００９１】
一実施形態では、内反ウェッジ部材はポリウレタンを含有する。ポリウレタンはショアＡ硬さ計で約１１５から約６５の硬さ値を有する。好ましい実施形態では、ポリウレタンの硬さ値はショアＡ硬さ計で約１０５から約７０であり、より好ましくはショアＡ硬さ計で約１００から約７５である。さらにより好ましくは、硬さはショアＡ硬さ計で約９０から約８０である。
【００９２】
別の実施形態では、第１の層および後部支持部材はエチレン酢酸ビニルを含有する。エチレン酢酸ビニルはショアデュロメータ計で約６０から約３０の硬さ値を有する。好ましい実施形態では、エチレン酢酸ビニルの硬さ値はアスカーＣ硬さ計で約５５から約４０であり、さらにより好ましくはアスカーＣ硬さ計で約５２から約４４である。
【００９３】
一構成では、インソール挿入物１００は任意の第１の繊維層および第２の繊維層の間に配置される。第１の繊維層および第２の繊維層は天然および／または合成素材を含有する。これらの繊維層は（綿または羊毛などの）植物または動物繊維、レーヨン、ポリエステル、ナイロン、アクリル、アラミド、ポリアミド、ポリウレタン、ポリオレフィン、ポリアクティブ（ｐｏｌｙａｃｔｉｆｅｓ）またはそれらの混合物を含んでいてもよい。第１の繊維層および第２の繊維層は同一の繊維素材を含有してもよく、または異なっていてもよい。
【００９４】
好ましい構成では、第１の繊維層はインソール挿入物１００の第１の層１２４上に配置、接着される。第１の繊維層は水分を制御し、および／または快適さを提供する。第１の繊維層はユーザの足に隣接して配置され、ユーザの足から出る湿気を吸収する。さらに、第１の繊維層は第１の層よりも通気性が高い。通気性が高いということは、ユーザの足に隣接して配置されるときに、第１の繊維層が第１の層よりも良い空気循環を提供することを意味する。したがって、ユーザは、第１の繊維層の方が第１の層よりも涼しく感じる。第１の繊維層は１または複数のグラフィックイメージ、英数字の文章およびそれらの組み合わせを含有することもある。第１の繊維層は、ユーザの足とインソール挿入物１００との間に、滑り止め表面および緩衝材をさらに提供することもある。
【００９５】
一構成では、第２の繊維層は外部層１１６上に配置、接着される。第２の繊維層は、インソール挿入物１００とシューズインソール１３２の間に、滑り止め表面を提供することもある。別の構成では、外部層１１６が十分な滑り止め表面を提供する場合に、第２の繊維層は除外される。
【００９６】
本明細書で用いるインソール挿入物という用語は、インソール挿入物１００の左右いずれかの形態を含んでいてもよい。インソール挿入物は男性または女性用の任意の国際的なサイズ表示規格に適合してもよい。たとえば、インソール挿入物１００は米国規格のサイズ表示である、５、５  １／２、６、６  １／２、７、７  １／２、８、８  １／２、９、９  １／２、１０、１０  １／２、１１、１１  １／２、１２、１２  １／２、１３、１３  １／２、１４、１４  １／２、１５、１５  １／２、１６、１６  １／２、１７、１７  １／２、１８、１８  １／２、１９、１９  １／２、２０からなる群から選択されるサイズ、および米国規格の幅である、ＡＡＡ、ＡＡ、Ａ、Ｂ、Ｃ、Ｄ、Ｅ、ＥＥ、ＥＥＥ、ＥＥＥＥ、ＦおよびＧからなる群から選択される幅を有してもよいが、これらに限定されない。
【００９７】
本開示および添付図に基づき、当業者は、本明細書に開示する態様および実施形態は任意の組み合わせにおいてお互いに排他的ではないことを容易に理解するであろう。したがって、上述した各態様および実施形態は任意の組み合わせにおいて組み合わせることができ、快適さとフィット感を改善し、効率を向上し、ユーザの負傷発生率を低減する自転車用シューズを形成し、使用する。したがって、アッパーおよびタンの少なくとも一部とシューズの内部空洞との間に配置されるライナー、非刺激性のライナー素材から主にもしくは完全に構成されるインソール、単向性のカーボンファイバ積層を含有するソール、通気開口を含むソール、ヒールの回りのアッパーに取り付けられるヒールストラップ、シューズの腰革外側部および腰革内側部、流体および空気が内部空洞を流出入できる複数の通気開口を含有するアッパー、９０度より大きいストラップ角度を有する複数のストラップおよび複数のループから構成される閉鎖システム、少なくともソールの前部または後部に位置する歩行補助、ストラップ支持を有するアーチストラップを含むアーチバックル、内反ウェッジ部材および／またはアーチ支持および／または横支持および外側支持および／またはヒールカップを有するインソール、およびオフセットスロート角度、これらすべては単一の好ましい自転車用シューズにおいて組み合わされてもよく、または個々に自転車用シューズに組み込まれてもよく、または任意の組み合わせで組み合わせて本発明の自転車用シューズを形成および使用してもよい。
【００９８】
本発明の上記説明は例示および説明の目的で提示されてきた。上記説明は、本明細書で開示する１または複数の形状に本発明を制限することを意図するものではない。たとえば、上記の発明を実施するための形態において、開示を合理化する目的で、１または複数の実施形態において、本発明の様々な特徴を併せてまとめている。本発明の実施形態の特徴は上記で説明した実施形態以外の代替的な実施形態において組み合わされてもよい。本開示の方法は、特許請求された発明が各請求項に明示的に記載する以上の特徴を要求するという意図を反映するものとして解釈されてはならない。むしろ、下記の請求項が反映するように、発明的な態様は、単一の上記開示した態様のすべての特徴内にある。したがって、以下の請求項はそれによりこの発明を実施するための形態に組み込まれ、各請求項はそれ自体が本発明の個別の好ましい実施形態として自立する。
【００９９】
さらに、本発明の説明は１または複数の実施形態、一定の変形および修正の説明を含むが、その他の変形、組み合わせ、および修正は本発明の範囲内にあり、たとえば、本開示を理解した後の当業者の能力および知識の範囲内であってもよい。特許請求されているものに対する代替的、互換的および／または同等の構造体、機能、範囲または段階を含む代替的な実施形態を許容される範囲で含む権利を取得することも意図されている。この場合、このような代替的、互換的および／または同等の構造体、機能、範囲または段階が本明細書に開示されているか否かは関係がなく、特許可能な任意の発明の対象を公的に献納するという意図も存在しない。
【図１】
2013528465.tif 000003
【図２】
2013528465.tif 000004
【図３】
2013528465.tif 000005
【図４】
2013528465.tif 000006
【図５Ａ】
2013528465.tif 000007
【図５Ｂ】
2013528465.tif 000008
【図６Ａ】
2013528465.tif 000009
【図６Ｂ】
2013528465.tif 000010
【図７Ａ】
2013528465.tif 000011
【図７Ｂ】
2013528465.tif 000012
【図８】
2013528465.tif 000013
【図９】
2013528465.tif 000014
【図１０】
2013528465.tif 000015
【図１１】
2013528465.tif 000016
【図１２】
2013528465.tif 000017
【図１３】
2013528465.tif 000018
【図１４】
2013528465.tif 000019
【図１５Ａ】
2013528465.tif 000020
【図１５Ｂ】
2013528465.tif 000021
【図１５Ｃ】
2013528465.tif 000022
【図１５Ｄ】
2013528465.tif 000023
【図１５Ｅ】
2013528465.tif 000024
【図１６Ａ】
2013528465.tif 000025
【図１６Ｂ】
2013528465.tif 000026
【図１７】
2013528465.tif 000027
【図１８】
2013528465.tif 000028
【図１９Ａ】
2013528465.tif 000029
【図１９Ｂ】
2013528465.tif 000030
【図２０Ａ】
2013528465.tif 000031
【図２０Ｂ】
2013528465.tif 000032
【図２０Ｃ】
2013528465.tif 000033
【図２１】
2013528465.tif 000034
【図２２】
2013528465.tif 000035
【図２３Ａ】
2013528465.tif 000036
【図２３Ｂ】
2013528465.tif 000037
【図２３Ｃ】
2013528465.tif 000038
【図２４】
2013528465.tif 000039
【国際調査報告】
2013528465.tif 000040